【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
目盛を備える目盛板及び指針とこれら目盛板及び指針を覆う透明覆板とを有する計器に取り付けられ、ＩＣチップとアンテナを備えると共に非接触で電波により記憶情報を伝達可能なＩＣタグと、前記透明覆板に前記ＩＣタグを取り付けると共に保持する取付媒体とを有し、前記ＩＣタグと無線通信を行う無線読取機と共に用いられる計器用ＩＣタグユニットであって、
前記指針の動作を読み取る目盛読取モジュールをさらに備え、
前記ＩＣタグは前記アンテナにより前記無線読取機と無線通信を行うものであり、
前記ＩＣタグは前記透明覆板への取付時において前記目盛及び指針の指示部と視認方向に対して重ならない位置となるように前記取付媒体上に設けられ、
前記目盛読取モジュールは、前記取付媒体上で前記指針に対向し、その相対移動より前記指針の位置を読み取るセンサとを有している計器用ＩＣタグユニット。
【請求項２】
前記無線読取機は、前記ＩＣタグとの近距離無線通信のためのモジュールと、さらに遠距離無線通信のための遠距離無線通信モジュールとを備えている請求項１記載の計器用ＩＣタグユニット。
【請求項３】
前記取付媒体は前記指針の中心軸近傍に前記センサを位置させるようにこのセンサを保持し、このセンサとの相対回転により角度を特定するマーカーは前記指針の中心軸近傍に取り付けられるものである請求項１記載の計器用ＩＣタグユニット。
【請求項４】
前記取付媒体は前記指針の最小値と最大値の位置を示すポインターを一対有しており、前記指針に固定したマーカーに対して前記取付媒体を相対回転させて前記ポインターの各々を指針に合わせることが可能である請求項３記載の計器用ＩＣタグユニット。
【請求項５】
前記計器は見返しを備え、前記アンテナは前記目盛板を囲むように前記見返しに沿って設けられている請求項１又は２記載の計器用ＩＣタグユニット。
【請求項６】
請求項１記載の計器用ＩＣタグユニットと、前記無線読取機とを備え、この無線読取機は、前記ＩＣタグの電力モジュールに供給する電力を獲得する電源を有している計器用ＩＣタグシステム。
【請求項７】
前記無線読取機は電源としてバッテリーを備えている請求項６記載の計器用ＩＣタグシステム。
【請求項８】
前記無線読取機は電源として太陽電池を備えている請求項６記載の計器用ＩＣタグシステム。
【請求項９】
前記無線読取機がリーダーライターである請求項６記載の計器用ＩＣタグシステム。
【請求項１０】
請求項１記載のＩＣタグユニットを備えた計器であって、前記取付媒体は前記指針の中心軸近傍に前記センサを位置させるようにこのセンサを保持し、このセンサとの相対回転により角度を特定するマーカーは前記指針の中心軸近傍に取り付けられるものであるＩＣタグユニットを備えた計器。
【請求項１１】
請求項４記載のＩＣタグユニットを備えた計器の校正方法であって、第一ポインターが前記指針の指示部に重なるように、前記透明覆板と共に前記ＩＣタグユニットを回転させてゼロ点校正を行い、第二ポインターが前記指示部と重なるように前記透明覆板と共に前記ＩＣタグユニットを回転させて最高点校正を行い、前記目盛板の目盛の対応部に先の第一、第二ポインターが重なるまで透明覆板と共にＩＣタグユニットを回転させるＩＣタグユニットを備えた計器の校正方法。
【手続補正２】
【補正対象書類名】明細書
【補正対象項目名】０００１
【補正方法】変更
【補正の内容】
【０００１】
本発明は、計器用ＩＣタグユニット、計器用ＩＣタグシステム、ＩＣタグユニットを備えた計器及びＩＣタグユニットを備えた計器の校正方法に関する。さらに詳しくは、目盛を備える目盛板及び指針とこれら目盛板及び指針を覆う透明覆板とを有する計器に取り付けられ、ＩＣチップとアンテナを備えると共に非接触で電波により記憶情報を伝達可能なＩＣタグと、前記透明覆板に前記ＩＣタグを取り付けると共に保持する取付媒体とを有し、前記ＩＣタグと無線通信を行う無線読取機と共に用いられる計器用ＩＣタグユニット、計器用ＩＣタグシステム、ＩＣタグユニットを備えた計器及びＩＣタグユニットを備えた計器の校正方法に関する。
【手続補正３】
【補正対象書類名】明細書
【補正対象項目名】０００６
【補正方法】変更
【補正の内容】
【０００６】
上記目的を達成するため、本発明に係る計器用ＩＣタグユニットの特徴は、目盛を備える目盛板及び指針とこれら目盛板及び指針を覆う透明覆板とを有する計器に取り付けられ、ＩＣチップとアンテナを備えると共に非接触で電波により記憶情報を伝達可能なＩＣタグと、前記透明覆板に前記ＩＣタグを取り付けると共に保持する取付媒体とを有し、前記ＩＣタグと無線通信を行う無線読取機と共に用いられるものであって、前記指針の動作を読み取る目盛読取モジュールをさらに備え、前記ＩＣタグは前記アンテナにより前記無線読取機と無線通信を行うものであり、前記ＩＣタグは前記透明覆板への取付時において前記目盛及び指針の指示部と視認方向に対して重ならない位置となるように前記取付媒体上に設けられ、前記目盛読取モジュールは、前記取付媒体上で前記指針に対向し、その相対移動より前記指針の位置を読み取るセンサとを有していることにある。
【手続補正４】
【補正対象書類名】明細書
【補正対象項目名】０００７
【補正方法】変更
【補正の内容】
【０００７】
同特徴によれば、ＩＣタグユニットは透明覆板に取り付けられ、計器の内側に位置しても、計器の校正状態や機能を損ねることも無い。目盛読取モジュール指針との相対移動（回動）により、その指示値を読み取る。無線読取機は計器の外側に設置すればよく、比較的十分なバッテリーを搭載できるため、近距離双方の通信を行いながら、ＩＣタグユニットに十分な動作電力を供給できる。その結果、計器が汚れて指針の判別が不可能でもモニタは継続でき、計器の透明覆板が汚染されていても問題はない。
【手続補正５】
【補正対象書類名】明細書
【補正対象項目名】０００８
【補正方法】変更
【補正の内容】
【０００８】
前記無線読取機は、前記ＩＣタグとの近距離無線通信のためのモジュールと、さらに遠距離無線通信のための遠距離無線通信モジュールとを備えているとよい。同特徴により、ほぼリアルタイムの指針のモニタが可能となる。
【手続補正６】
【補正対象書類名】明細書
【補正対象項目名】０００９
【補正方法】変更
【補正の内容】
【０００９】
上記構成において、前記取付媒体は前記指針の中心軸近傍に前記センサを位置させるようにこのセンサを保持し、このセンサとの相対回転により角度を特定するマーカーは前記指針の中心軸近傍に取り付けられるものであるとよい。指針を直接検出するのではなく、マーカーを介するため、目盛読取モジュールは安定した指針の指し示す値を得ることができる。
【手続補正７】
【補正対象書類名】明細書
【補正対象項目名】００１０
【補正方法】変更
【補正の内容】
【００１０】
上記構成において、前記取付媒体は前記指針の最小値と最大値の位置を示すポインターを一対有しており、前記指針に固定したマーカーに対して前記取付媒体を相対回転させて前記ポインターの各々を指針に合わせることが可能としても良い。同特徴によれば、透明覆板も円形であり、計器の指針の軸と合わせて相対回転させられるため、計器の値を変えずにゼロ点と最高点との構成が行えて便宜である。
【手続補正８】
【補正対象書類名】明細書
【補正対象項目名】００１１
【補正方法】変更
【補正の内容】
【００１１】
また、前記計器は見返しを備え、前記アンテナは前記目盛板を囲むように前記見返しに沿って設けてもよい。同特徴によれば、大きなアンテナを金属部品に影響されることなく確保でき、長波長の無線を利用して安定的に電力を供給することができる。
【手続補正９】
【補正対象書類名】明細書
【補正対象項目名】００１２
【補正方法】変更
【補正の内容】
【００１２】
上記目的を達成するため、本発明に係る計器用ＩＣタグシステムの特徴は、上記特徴構成に記載の計器用ＩＣタグユニットと、前記無線読取機とを備え、この無線読取機は、前記ＩＣタグの電力モジュールに供給する電力を獲得する電源を有していることにある。係る場合、前記無線読取機は電源としてバッテリーを備えるとよく、または、前記無線読取機は電源として太陽電池を備えてもよい。前記無線読取機はリーダーライターとして実施してもよい。
【手続補正１０】
【補正対象書類名】明細書
【補正対象項目名】００１３
【補正方法】変更
【補正の内容】
【００１３】
また、上記目的を達成するため、本発明に係るＩＣタグユニットを備えた計器の特徴は、上記特徴構成に記載のＩＣタグユニットを備えた構成において、前記取付媒体は前記指針の中心軸近傍に前記センサを位置させるようにこのセンサを保持し、このセンサとの相対回転により角度を特定するマーカーは前記指針の中心軸近傍に取り付けられるものであるとよい。
【手続補正１１】
【補正対象書類名】明細書
【補正対象項目名】００１４
【補正方法】変更
【補正の内容】
【００１４】
上記目的を達成するため、ＩＣタグユニットを備えた計器の校正方法の特徴は、前記ポインターを一対有する構成であって、第一ポインターが前記指針の指示部に重なるように、前記透明覆板と共に前記ＩＣタグユニットを回転させてゼロ点校正を行い、第二ポインターが前記指示部と重なるように前記透明覆板と共に前記ＩＣタグユニットを回転させて最高点校正を行い、前記目盛板の目盛の対応部に先の第一、第二ポインターが重なるまで透明覆板と共にＩＣタグユニットを回転させることにある。
【手続補正１２】
【補正対象書類名】明細書
【補正対象項目名】００１７
【補正方法】変更
【補正の内容】
【００１７】
【図１Ａ】本発明の第１実施形態に係る計器用ＩＣタグユニットを備えた計器の正面図である。
【図１Ｂ】一部を破砕した側面図である。
【図１Ｃ】ＩＣタグユニットのみの正面図である。
【図２】図１Ｂの分解側面図である。
【図３】図１Ｂの要部断面図である。
【図４】目盛読取モジュールの図３平面図である。
【図５】本発明に係る計器用ＩＣタグシステムの構成を示すブロック図である。
【図６】本発明の第２実施形態に係る計器用ＩＣタグシステムの構成を示すブロック図である。
【図７】本発明の第３実施形態に係る計器用ＩＣタグシステムの取り付け状態を示し、（ａ）は計器の斜視図、（ｂ）は同側面図である。
【図８Ａ】本発明の第４実施形態に係るＩＣタグユニットと指針との関係を示す図であり、通常の取り付け状態を示す図である。
【図８Ｂ】本発明の第４実施形態に係るＩＣタグユニットと指針との関係を示す図であり、ゼロ点の校正時を示す図である。
【図８Ｃ】本発明の第４実施形態に係るＩＣタグユニットと指針との関係を示す図であり、最高値の校正時を示す正面図である。
【手続補正１３】
【補正対象書類名】明細書
【補正対象項目名】００２７
【補正方法】変更
【補正の内容】
【００２７】
目盛読取モジュール２０は、前記シート１４上に設けられる近接センサ２１と、前記指針５５の中心軸近傍に設けられる導電性ターゲット２２を備えている。この近接センサ２１は、非接触で指針の動きを検出できる近接センサである誘導型近接センサを用いている。これに限らず、静電容量形近接センサを用いたり、光学式近接センサを用いたり、指針に磁石を付けて、磁気センサで検出するなどの他のセンサを用いてもよい。
【手続補正１４】
【補正対象書類名】明細書
【補正対象項目名】００２８
【補正方法】変更
【補正の内容】
【００２８】
図１Ａ〜Ｃ，３，４に示すように、導電性ターゲット２２は、シート２３の上に渦巻き状の導電パターン２４がエッチングや印刷などにより形成され、粘着材等の貼付層２５を介して指針５５の中央近傍に貼り付けられる。近接センサ２１は、検出コイル２１ａを有しており、指針５５の回動により、検出コイル２１ａに近接する渦巻きの太さが変化し、導電層と絶縁層の比率が変わるため、導電性ターゲットの回転、すなわち、指針５５の回転角を検出することができる。
【手続補正１５】
【補正対象書類名】明細書
【補正対象項目名】００３９
【補正方法】変更
【補正の内容】
【００３９】
図７に示す本発明の第２実施形態では、下端７６ａの解放された板バネ７６で計器５０の上に遠距離通信ユニット７０を固定している。このユニット７０には、先の実施形態と同様、近距離通信モジュール７１，遠距離通信モジュール７２、バッテリー７３を搭載しているが、さらに、太陽電池７５も搭載しており、発電した電力をバッテリー７３に充電して使用する。リーダーライター８０からの誘導電流をＩＣタグ１１，近接センサ２１に供給することにより、保守点検時に無電源状態でもセンサの値を読み取ることが可能で、ガラスが汚れているなど、指針を見ることが出来ない状態でも圧力値を読み取ることが可能である。
【手続補正１６】
【補正対象書類名】明細書
【補正対象項目名】００４０
【補正方法】変更
【補正の内容】
【００４０】
図８Ａ〜Ｃに示す第４実施形態では、ゼロ点と最高点との校正が、指針５５を動かさないで行われる。本実施形態では、図８Ａに示すように、ＩＣタグユニット１０が先の実施形態よりも大径に形成され、計器５０の目盛５６ａ近傍までその外周が近接している。そして、目盛５６ａのゼロ点及び最高点にそれぞれ第一ポインター１９ａ、第二ポインター１９ｂが位置するように設けられている。
【手続補正１７】
【補正対象書類名】明細書
【補正対象項目名】００４２
【補正方法】変更
【補正の内容】
【００４２】
先の導電性ターゲット２２に指示部５５ａと同様の突起を設けてもよい。その結果、目盛５６ａのゼロ点と最高点に導電性ターゲット２２の突起を合わせるように回転させ、それぞれ上述の校正作業を行えば、突起を指示部５５ａと重なる位置まで導電性ターゲット２２を回転させて重ねることで、同上の校正が行える。
【手続補正１８】
【補正対象書類名】明細書
【補正対象項目名】００４３
【補正方法】変更
【補正の内容】
【００４３】
本発明は、既存の計器に取り付けることで、計器校正の確認や計器定期点検を行うための支援装置として利用することができる。本発明は、既存の計器、例えば、圧力計、温度計、流量計、電力計など工業計器に用いることができる。
【手続補正１９】
【補正対象書類名】明細書
【補正対象項目名】００４４
【補正方法】変更
【補正の内容】
【００４４】
１０：計器用ＩＣタグユニット、１１：ＩＣタグ、１２：ＩＣチップ、１３：アンテナ、１４：シート、１４ａ：第一シート、１４ｂ: 第二シート、１５：貼付層、２０：目盛読取モジュール、２１：近接センサ、２１ａ：検出コイル、２２：導電性ターゲット、２３：シート、２４：導電パターン、２５：貼付層、３０：無線読取機、３１：電力モジュール、５０：計器、５１: ケース本体、５２：カバー、５３：透明覆板、５４：見返し、５５：指針、５５ａ：指示部、５６：目盛板、５６ａ：目盛、５７：ブルドン管機構、７０：遠距離通信ユニット、７１：近距離通信モジュール、７２：遠距離通信モジュール、７３：バッテリー、７４：アンテナ、７５：太陽電池、７６：固定具、８０：リーダーライター、８１：送受信部、８２：制御装置、８３：タッチパネル、８４：アンテナ、９１：スマートフォン（携帯端末）、９２：ＰＣ